(57)【要約】      （修正有）【課題】本発明は複数の照明装置をグループ別に遠隔制御して照明パターンを生成でき、照明効果を向上させることができる無線照明制御システムを提供する。【解決手段】無線照明制御システムは、複数の照明装置を予め設定されたグループ別に制御する照明制御情報を含む制御パターン情報を無線通信方式によって伝送する第１装置から受信する前記複数の照明装置を含み、前記複数の照明装置はそれぞれの照明装置を含み、前記それぞれの照明装置はそれぞれのグループに含まれ、前記それぞれの照明装置が属するグループに対応する前記制御パターン情報によってそれぞれグループ別に制御され、前記制御パターン情報は座席配置図による照明制御情報を含み、前記制御パターン情報を前記公演中に前記第１照明装置から受信した前記第１通信装置は、前記制御パターン情報により前記公演の進行に対応して互いに異なる照明色にグループ別に表示される。【選択図】図１
2020098802.tif 000002
【特許請求の範囲】
【請求項１】
複数の照明装置を予め設定されたグループ別に制御する照明制御情報を含む制御パターン情報を無線通信方式によって伝送する第１装置から受信する前記複数の照明装置を含み、
前記複数の照明装置はそれぞれの照明装置を含み、前記それぞれの照明装置はそれぞれのグループに含まれ、前記それぞれの照明装置が属するグループに対応する前記制御パターン情報によってそれぞれグループ別に制御され、
前記制御パターン情報は座席配置図による照明制御情報を含み、グループ別に前記座席配置図の特定領域に対応するように設定され、
前記制御パターン情報は各グループに該当する照明色を示し、互いに異なる照明色は前記座席配置図の他の領域の他のグループに該当し、
前記制御パターン情報は、前記座席配置図の特定領域に対応するグループ別に視覚的な応援効果を出すために互いに異なる照明色に表示されるようにする前記照明制御情報を含み、
前記複数の照明装置は、公演会場内に位置する複数の応援グッズであり、視覚的な応援効果のために各グループの前記制御パターン情報を前記公演会場の公演中に受信し、前記制御パターン情報に基づいて前記公演の進行に対応して互いに異なる照明色にグループ別に表示され、
前記複数の照明装置の第１照明装置と複数の通信装置の第１通信装置が接続されている場合、前記第１照明装置は照明制御アプリケーションの信号を前記第１通信装置に伝送し、
前記制御パターン情報を前記公演中に前記第１照明装置から受信した前記第１通信装置は、前記制御パターン情報により前記公演の進行に対応して互いに異なる照明色にグループ別に表示される、無線照明制御システム。
【請求項２】
前記照明装置の照明部に対する制御パターン情報は照明の色、照明の明るさ、照明の点灯時刻、照明の消灯時刻及び照明の点滅速度のうち少なくとも１つを含み、
前記スマート装置の表示部に対する制御パターン情報は画面の色、画面の明るさ、画面表示開始時間、画面表示終了時間、画面の点滅間隔及び画面を通じて表示するコンテンツの識別情報のうち少なくとも１つを含むことを特徴とする請求項１に記載の無線照明制御システム。
【請求項３】
前記複数の照明装置は、複数の通信装置とそれぞれ電気的に接続され、
前記複数の通信装置からそれぞれ受信したマッピング要請信号に基づいて、前記複数の照明装置の識別情報、前記複数の通信装置の識別情報及び前記複数の通信装置のユーザが位置する前記座席情報を前記座席配置図にそれぞれマッピングし、マッピング完了信号を前記第１装置に伝送するサーバを更に含むことを特徴とする請求項２に記載の無線照明制御システム。
【請求項４】
前記通信装置は、
前記複数の照明装置のうち第１照明装置と接続される前記第１通信装置は、前記第１照明装置又は前記サーバとデータを送受信する通信モジュールを含むことを特徴とする請求項２に記載の無線照明制御システム。
【請求項５】
前記通信装置は、前記通信装置のユーザから前記座席情報の入力を直接受けるか、入場券に印刷されたバーコードから前記座席情報を獲得するか、前記座席に付着されている無線通信タグから獲得することを特徴とする請求項１に記載の無線照明制御システム。
【請求項６】
前記通信装置は、前記制御パターン情報に前記表示部を通じて表示するコンテンツ識別情報が含まれている場合、コンテンツ要請信号を前記サーバに伝送し、前記サーバからコンテンツを受信することを特徴とする請求項３に記載の無線照明制御システム。
【請求項７】
公演会場のそれぞれの座席に位置して応援グッズとして用いられ、互いに異なるグループに含まれてマスタ装置の制御によって互いに異なるように制御される複数のスレーブ照明装置を含み、
前記複数のスレーブ照明装置は、
前記複数のスレーブ照明装置を予め設定されたグループ別に制御できるグループ別制御情報を無線通信方式によって前記マスタ装置から受信し、
前記グループ別制御情報は、
前記複数のスレーブ照明装置が視覚的な応援効果を出すために前記設定されたグループ別に互いに異なる照明色に表示されるようにするグループ別制御情報を含み、
前記複数のスレーブ照明装置は、
前記グループ別制御情報を受信し、前記グループ別制御情報によって制御されて前記グループ別に互いに異なる照明色に表示され、
前記複数のスレーブ照明装置は、
それぞれ異なる座席情報とマッピングされ、前記複数のスレーブ照明装置が複数の通信装置とそれぞれ接続される場合、前記それぞれ接続されている複数の通信装置は、入力を受けたそれぞれの座席情報と前記複数のスレーブ照明装置のそれぞれの識別情報をマッピングすることを要請するマッピング要請信号をサーバに伝送し、
前記複数のスレーブ照明装置は、前記マッピング要請信号を基に前記サーバで前記複数のスレーブ照明装置のそれぞれの識別情報と座席情報をマッピングすることによって設定された前記グループ別制御情報を受信し、前記グループ別制御情報は前記複数のスレーブ照明装置のそれぞれがマッピングされた座席情報に基づいて設定された特定グループに対応するグループ別制御情報であり、
前記座席情報に基づいて前記予め設定されたグループに含まれている前記複数のスレーブ照明装置がグループ別に互いに異なるように予め設定された前記グループ別制御情報によって視覚的な応援効果のために前記公演会場の公演に対応して互いに異なる照明色に表示されてグループ別に互いに異なる照明パターンを生成し、
前記マスタ装置は、前記公演の進行に対応して前記公演過程中に前記複数のスレーブ照明装置に前記グループ別制御情報を伝送して前記複数のスレーブ照明装置をグループ別に制御する、無線照明制御システム。
【発明の詳細な説明】
【技術分野】
【０００１】
本発明は無線照明制御システムに関し、より詳細には、複数の照明装置を遠隔で制御して照明パターンを生成でき、照明効果を向上させることができる無線照明制御システムに関する。
【背景技術】
【０００２】
一般に、照明装置とは光源からの光を反射、屈折及び透過させて照明の目的を達成させるものを指す。照明装置は、配光によって間接照明装置、半間接照明装置、全般拡散照明装置、半直接照明装置及び直接照明装置などに分類され得る。
【０００３】
技術の発展により照明装置は多様な用途に用いられている。一例として、照明装置はメディアファサード（Ｍｅｄｉａ ｆａｃａｄｅ）を演出するのに用いられる。メディアファサードとは、建物の外壁などに照明装置を取り付け、メディア機能を実現することをいう。
【０００４】
他の例として、照明装置は一定の照度以下の環境で行われるスポーツ競技やコンサートなどで小型の応援グッズとして用いられもする。ところが、このような環境では複数の照明器具が個別に制御されるため、体系的な照明パターンや形状を生成し難いという側面がある。また、照明装置に配置された光源を用いるだけでは期待通りの応援効果を得るのは容易ではない。
【発明の概要】
【発明が解決しようとする課題】
【０００５】
そこで、本発明は上記事情に鑑みてなされたものであって、その目的は、複数の照明装置をグループ別に遠隔で制御して照明パターンを生成でき、照明効果を向上させることができる無線照明制御システムを提供することにある。
【課題を解決するための手段】
【０００６】
前述した課題を解決するために、一実施形態に係る無線照明制御システムは、第１スマート装置と電気的に接続され、マスタとして動作する第１照明装置と、複数の第２スマート装置とそれぞれ電気的に接続され、スレーブとして動作する複数の第２照明装置を含み、前記第１スマート装置で照明の制御のためのグループ及びグループ別制御パターン情報が設定されると、前記第１照明装置は、前記グループ別制御パターン情報を無線通信方式によって前記複数の第２照明装置に伝送し、前記複数の第２照明装置の照明部及び前記複数の第２スマート装置の表示部のうち少なくとも１つは、前記グループ別制御パターン情報に基づいて制御される。
【０００７】
前記制御パターン情報は、前記第２照明装置の照明部に関する制御パターン情報及び前記第２スマート装置の表示部に関する制御パターン情報のうち少なくとも１つを含む。
【０００８】
前記第２照明装置の照明部に関する制御パターン情報は、照明の色、照明の明るさ、照明の点灯時刻、照明の消灯時刻及び照明の点滅速度のうち少なくとも１つを含み、前記第２スマート装置の表示部に関する制御パターン情報は、画面の色、画面の明るさ、画面表示開始時間、画面表示終了時間、画面の点滅間隔及び画面を通じて表示するコンテンツの識別情報のうち少なくとも１つを含む。
【０００９】
前記複数の第２スマート装置からそれぞれ受信したマッピング要請信号に基づいて、前記複数の第２照明装置の識別情報、前記複数の第２スマート装置の識別情報及び前記複数の第２スマート装置のユーザが位置している座席情報を座席配置図にそれぞれマッピングし、マッピング完了信号を前記第１スマート装置に伝送するサーバを更に含む。
【００１０】
前記第２スマート装置は、前記第２スマート装置のユーザから前記座席情報の入力を直接受けるか、入場券に印刷されたバーコードから前記座席情報を獲得するか、座席に付着されている無線通信タグから獲得する。
【００１１】
前記第２スマート装置は、前記制御パターン情報に前記表示部を通じて表示するコンテンツ識別情報が含まれている場合、コンテンツ要請信号を前記サーバに伝送し、前記サーバからコンテンツを受信する。
【００１２】
前記第１照明装置は、前記第１スマート装置との電気的接続が検知される場合、照明制御アプリケーションがインストールされているか否かを確認する確認要請信号を前記第１スマート装置に伝送し、前記第１スマート装置は、アプリケーション要請信号をサーバに伝送し、前記サーバから前記照明制御アプリケーションを受信する。
【発明の効果】
【００１３】
本発明によれば、複数の照明装置をグループ別に制御でき、スポーツ競技やコンサートなどで多様な照明パターンを生成でき、多様な照明パターンによる応援効果を向上させることができるという効果を奏する。
【００１４】
照明装置のリソース及び照明装置と連動しているスマート装置のリソースを活用して照明パターンを生成できるので、照明効果を増大させることができる。
【図面の簡単な説明】
【００１５】
【図１】一実施形態に係る無線照明制御システムの構成を示す図である。
【図２】図１に示した第１照明装置の構成を示す図である。
【図３】図１に示した第１スマート装置の構成を示す図である。
【図４】一実施形態に係る無線照明制御システムの動作を示すフローチャートである。
【図５】一実施形態に係る無線照明制御システムの動作を示すフローチャートである。
【図６】図４のＳ４５５段階及びＳ４６０段階で第２スマート装置を通じて表示される照明制御画面を例示した図である。
【図７】図５のＳ４８５〜Ｓ４９５段階で第１スマート装置を通じて表示される照明制御画面を例示した図である。
【発明を実施するための形態】
【００１６】
本発明の利点及び特徴、そしてそれらを達成する方法は、添付の図面と共に詳細に後述されている実施形態を参照すれば明確になる。しかし、本発明は以下で開示される実施形態に限定されるものではなく、互いに異なる他の多様な形態で実現されることができる。但し、本実施形態は本発明の開示を完全なものにし、本発明が属する技術分野において通常の知識を有する者に発明の範疇を完全に理解させるために提供されるものであり、本発明は請求請求の範疇により定義されるに過ぎない。
【００１７】
他の定義がなければ、本明細書において用いられる全ての用語（技術及び科学的用語を含む）は、本発明が属する技術分野において通常の知識を有する者に共通して理解され得る意味として使用されることができる。また、一般に用いられる辞典に定義されている用語は、明白に特に定義されていない限り、理想的に又は過度に解釈されない。
【００１８】
本明細書において用いられた用語は、実施形態を説明するためのものであり、本発明を制限しようとするものではない。本明細書において、単数形は特に言及しない限り複数形も含む。明細書において用いられる「含む（ｃｏｍｐｒｉｓｅｓ）」及び／又は「含んでいる（ｃｏｍｐｒｉｓｉｎｇ）」は、言及された構成要素以外に１つ以上の他の構成要素の存在又は追加を排除しない。
【００１９】
以下、添付の図面を参照して本発明の実施形態を説明する。図面において同一の図面符号は、同一の構成要素を示す。
【００２０】
図１は、一実施形態に係る無線照明制御システム１の構成を示す図である。
【００２１】
図１を参照すれば、一実施形態に係る無線照明制御システム１は、複数の照明装置１００Ａ、１００Ｂ、１００Ｃ、１００Ｄ、複数のスマート装置２００Ａ、２００Ｂ、２００Ｃ、２００Ｄ、ネットワーク３００及びサーバ４００を含む。複数の照明装置１００Ａ、１００Ｂ、１００Ｃ、１００Ｄは、マスタとして動作する第１照明装置１００Ａとスレーブとして動作する第２照明装置１００Ｂ、１００Ｃ、１００Ｄを含む。第１照明装置１００Ａは、第１スマート装置２００Ａと電気的に接続され、第２照明装置１００Ｂ、１００Ｃ、１００Ｄは、第２スマート装置２００Ｂ、２００Ｃ、２００Ｄと電気的に接続される。以下、説明の便宜上、第１照明装置１００Ａ及び第２照明装置１００Ｂ、１００Ｃ、１００Ｄを「照明装置１００」と通称して説明し、第１スマート装置２００Ａ及び第２スマート装置２００Ｂ、２００Ｃ、２００Ｄを「スマート装置２００」と通称して説明する。
【００２２】
照明装置１００とは、光源の光を反射、屈折、透過させて光源を固定したり、保護する器具のことをいう。このような照明装置１００は、多様な形状を有することができる。一例として、照明装置１００は、ユーザが把持できるように棒状を有することができる。他の例として、照明装置１００は、ユーザの身体の一部に着用可能な形状を有することもできる。
【００２３】
実施形態によれば、照明装置１００は、スマート装置２００との電気的接続を検知できる。スマート装置２００との電気的接続が検知されると、照明装置１００はスマート装置２００とデータ及び／又は信号を送受信する。例えば、照明装置１００は、スマート装置２００に照明制御アプリケーションがインストールされているかを確認する確認要請信号をスマート装置２００に伝送する。
【００２４】
他の例を挙げると、照明装置１００は、スレーブとして動作する照明装置に関するグループ別制御パターン情報をスマート装置２００から受信する。照明装置１００の構成に関するより具体的な説明は、図２を参照して後述する。
【００２５】
スマート装置２００は、照明装置１００と電気的に接続されることができる。照明装置１００と電気的に接続されているスマート装置２００は、照明装置１００とデータ及び／又は信号を送受信する。例えば、スマート装置２００は、照明制御アプリケーションがインストールされているか否かを確認する確認要請信号を照明装置１００から受信し、スレーブとして動作する照明装置に関するグループ別制御パターン情報を照明装置１００に伝送する。
【００２６】
スマート装置２００は、ネットワーク３００を介してサーバ４００と通信を行うこともできる。一実施形態によれば、スマート装置２００は、照明制御アプリケーションを要請するアプリケーション要請信号、マッピング要請信号及びコンテンツ要請信号のうち少なくとも１つをサーバ４００に伝送し、サーバ４００から照明制御アプリケーション、マッピング完了信号、及び要請されたコンテンツのうち少なくとも１つを受信する。
【００２７】
一方、サーバ４００から受信した照明制御アプリケーションのインストールが完了すれば、スマート装置２００は照明制御画面を構成して表示する。照明制御画面が表示されると、ユーザはスレーブとして動作する照明装置に対してグループを設定したり、グループ別制御パターンを設定したり、照明の制御と関連する各種命令や情報を入力できる。
【００２８】
前述したようなスマート装置２００は、スマートフォン及びタブレットなどの通信装置を含むことができる。しかし、スマート装置２００が例示されているような通信装置に必ずしも限定されるものではなく、無線通信機能及び表示機能を有する通信装置であれば、スマート装置２００に含まれることができる。スマート装置２００の構成に関するより具体的な説明は、図３を参照して後述する。
【００２９】
サーバ４００は、ネットワーク３００を介して照明装置１００及びスマート装置２００と通信を行う。一例として、サーバ４００はスマート装置２００からアプリケーション要請信号を受信し、それに対する応答として照明制御アプリケーションをスマート装置２００に伝送する。他の例として、サーバ２００はスマート装置２００からマッピング要請信号を受信し、マッピング完了信号をスマート装置２００に伝送する。マッピング要請信号は、照明装置１００の識別情報、スマート装置の識別情報２００及びユーザの座席情報をマッピングすることを要請する信号である。更に他の例として、サーバ４００はスマート装置２００からコンテンツ要請信号を受信し、要請されたコンテンツをスマート装置２００に伝送する。コンテンツとしては、テキスト、イメージ及び動画が挙げられる。
【００３０】
以上、図１を参照して一実施形態に係る無線照明制御システム１の構成について説明した。図１では、照明制御アプリケーションがサーバ４００によりスマート装置２００に配布される場合を例として説明した。他の実施形態によれば、照明制御アプリケーションは照明装置１００によりスマート装置２００に配布されることもできる。
【００３１】
図２は、図１に示した照明装置１００の構成を示す図である。
【００３２】
図２を参照すれば、照明装置１００は照明部１１０、有線通信部１２０、制御部１３０及び無線通信部１４０を含む。
【００３３】
照明部１１０は、１つ以上の光源を含む。光源としては、発光ダイオード（Ｌｉｇｈｔ Ｅｍｉｔｔｉｎｇ Ｄｉｏｄｅ、ＬＥＤ）が挙げられる。照明部１１０は、互いに異なる色のＬＥＤを含むことができる。例えば、赤色ＬＥＤ、緑色ＬＥＤ、青色ＬＥＤ及び白色ＬＥＤのうち少なくとも１つを含むことができる。これらのＬＥＤからそれぞれ放出される光を混合すると、広い範囲の色を作り出すことができる。混合された色は、各ＬＥＤから放出される光の強度の比に基づいて決定されるが、各ＬＥＤから放出される光の強度は各ＬＥＤの駆動電流に比例する。即ち、各ＬＥＤの駆動電流を制御することによって、照明部１１０から出力される光の色を制御できる。複数のＬＥＤは、ドット状に配列され得るが、これらを選択的に点灯させることによって特定文句やイメージを表示することもできる。
【００３４】
以上の説明では照明部１１０の光源としてＬＥＤを例に説明したが、光源の種類がＬＥＤに限定されるものではない。他の実施形態によれば、光源としては、有機発光ダイオード（Ｏｒｇａｎｉｃ Ｌｉｇｈｔ Ｅｍｉｔｔｉｎｇ Ｄｉｏｄｅ、ＯＬＥＤ）が用いられることもできる。
【００３５】
有線通信部１２０は、照明装置１００とスマート装置２００間の有線通信を担う。図には示していないが、有線通信部１２０は、有線通信ポート（例えば、ＵＳＢポート）を含むことができる。照明装置１００の有線通信部１２０に備えられた有線通信ポートは、スマート装置２００の有線通信部２５０に備えられた有線通信ポートに電気的に接続される。照明装置１００の有線通信ポートがスマート装置２００の有線通信ポートに結合されると、照明装置１００とスマート装置２００との間では、信号及び／又はデータの送受信が行われる。例えば、照明制御アプリケーションがインストールされているか否かを確認する確認要請信号がスマート装置２００に送信され、それに対する応答信号がスマート装置２００から受信される。
【００３６】
無線通信部１４０は、照明装置１００と他の照明装置間の無線通信を担う。このために、無線通信部１４０は無線通信方式をサポートできる。無線通信方式としては、ジグビー（ＺｉｇＢｅｅ）を例として挙げられる。
【００３７】
ジグビー（ＺｉｇＢｅｅ）は、８６８ＭＨｚ、９０２-９２８ＭＨｚ及び２.４ＧＨｚで動作する周辺装置の接続が無線で行われる個人領域通信網である無線個人領域通信網規格である。ジグビーは、ＩＥＥＥ-ＳＡにより承認されたＩＥＥＥ８０２.１５標準を基盤とする。ジグビーを用いると、無線個人領域通信網内で通常５０ｍ以内の距離に離れている周辺装置間で最高２５０Ｋｂｐｓの速度でデータをやり取りすることができる。
【００３８】
以上の説明では無線通信部１４０がサポートする無線通信方式として、ジグビー（ＺｉｇＢｅｅ）を例に挙げたが、必ずしもこれに限定されるものではなく、無線通信部１４０は例示されているもの以外にも他の無線通信方式を１つ以上サポートすることもできる。
【００３９】
制御部１３０は、照明装置１００の各構成要素を接続して制御する。例えば、制御部１３０は、照明装置１００とスマート装置２００間で電気的に接続されているか否かを検知する。スマート装置２００との接続が検知された場合、制御部１３０は、照明制御アプリケーションがインストールされているか否かを確認する確認要請信号をスマート装置２００に伝送する。
【００４０】
また、制御部１３０は、制御パターン情報に基づいて照明部１１０の照明パターンを制御する。制御パターン情報は、照明の色、照明の明るさ、照明の点灯時刻、照明の消灯時刻及び照明の点滅速度のうち少なくとも１つを含むことができる。例示されているような制御パターン情報は、事前に予め定義されてもよく、ユーザにより直接設定されてもよい。
【００４１】
以上、図２を参照して図１に示した照明装置１００の構成を説明した。図２に示すように、照明装置１００では電源部が省略され得る。この場合、照明装置１００はスマート装置２００に電気的に接続された後、スマート装置２００から電源の供給を受けて動作する。他の例として、照明装置１００には、電源部（乾電池）が更に備えられることもできる。このような電源部は、照明装置１００から分離された後に他の電源部に交換されるか、外部から供給される電力により充電されることできる。
【００４２】
図３は、図１に示したスマート装置２００の構成を示す図である。
【００４３】
図３を参照すれば、スマート装置２００は入力部２１０、表示部２２０、格納部２３０、制御部２４０、有線通信部２５０及び無線通信部２６０を含む。
【００４４】
入力部２１０は、ユーザから各種情報及び／又は命令の入力を受ける。例えば、照明部１１０及び／又は表示部２２０に関する制御パターン情報、動作待機命令、照明の制御を開始する照明制御実行命令、及び実行中の照明制御を終了する照明制御終了命令などの入力を受けることができる。このために、入力部２１０はジョイスチック、マウス、キーパッド及びキーボードのうち少なくとも１つを含むことができる。このとき、キーボードはハードウェア的に実現してもよく、ソフトウェア的に実現してもよい。
【００４５】
表示部２２０は照明制御アプリケーションが駆動される場合、照明制御画面を表示できる。実施形態によれば、照明制御画面には多様な情報及び／又はアイコンが配置されることができる。例えば、ユーザが位置している場所の座席配置図、ユーザの座席情報を選択できるアイコン、第２照明装置及び第２スマート装置に対してグループを設定できるグループ設定アイコン、予め設定された照明制御パターンに対応するアイコン、照明制御実行命令を入力するためのアイコン、照明制御終了命令を入力するためのアイコンなどが配置されることができる。しかし、照明制御画面に配置されるアイコンが例示されたものに限定されるものではなく、照明制御画面に含まれるアイコンの種類及び配置位置は、ユーザにより設定可能に実現されることができる。
【００４６】
表示部２２０は、制御パターン情報によって制御され得る。制御パターン情報は、予め定義された制御パターン情報の中から選択されるか、ユーザにより直接設定されることができる。
【００４７】
格納部２３０は、ハードディスクドライブ、光ディスクドライブ、光磁気ディスクドライブ、不揮発性メモリ、揮発性メモリ、又はこれらの組み合わせを含むことができる。このような格納部２３０は、スマート装置２００が動作するのに必要なデータを格納する。例えば、格納部２３０は、照明制御アプリケーションを格納する。照明制御アプリケーションは、スマート装置２００の表示部２２０及び照明装置１００の照明部１１０のうち少なくとも１つを制御できるアプリケーションである。
【００４８】
照明制御アプリケーションは、モバイルアプリケーションで実現されることができ、ネットワーク３００を介してサーバ４００により配布されるか、照明装置１００により配布されることができる。
【００４９】
有線通信部２５０は、スマート装置２００と照明装置１００間の有線通信を担う。図には示していないが、有線通信部２５０は有線通信ポートを含むことができる。スマート装置２００の有線通信部２５０に備えられた有線通信ポートは照明装置１００の有線通信部１２０に備えられた有線通信ポートに電気的に接続される。スマート装置２００の有線通信ポートが照明装置１００の有線通信ポートに結合されると、スマート装置２００と照明装置１００との間では、信号及び／又はデータの送受信が行われる。例えば、照明制御アプリケーションがインストールされているか否かを確認する確認要請信号が照明装置１００から受信され、それに対する応答信号が照明装置１００に伝送される。
【００５０】
無線通信部２６０は、スマート装置２００とサーバ４００間の無線通信を担う。このために、無線通信部２６０は１つ以上の無線通信方式をサポートできる。無線通信方式としては、ウルトラワイドバンド（Ｕｌｔｒａ Ｗｉｄｅ Ｂａｎｄ、ＵＷＢ）、ワイファイ（Ｗｉ-Ｆｉ）、ブルートゥース（Ｂｌｕｅｔｏｏｔｈ）（登録商標）、低消費電力ブルートゥース（Ｂｌｕｅｔｏｏｔｈ Ｌｏｗ Ｅｎｅｒｇｙ、ＢＬＥ）、ジグビー（ＺｉｇＢｅｅ）、無線周波数通信（Ｒａｄｉｏ Ｆｒｅｑｕｅｎｃｙ、ＲＦ）及び赤外線通信（Ｉｎｆｒａｒｅｄ Ｄａｔａ Ａｓｓｏｃｉａｔｉｏｎ、ＩｒＤＡ）が挙げられるが、これに限定されるものではない。
【００５１】
制御部２４０は、スマート装置２００内の各構成要素を接続して制御する。例えば、照明装置１００から照明制御アプリケーションがインストールされているか否かを確認する確認要請信号が受信されると、スマート装置２００内に該当アプリケーションがインストールされている状態であるかを確認する。確認の結果、照明制御アプリケーションがインストールされていなければ、制御部２４０はアプリケーション要請信号をサーバ４００に伝送する。その後、サーバ４００から照明制御アプリケーションが受信されると、制御部２４０は受信した照明制御アプリケーションをインストールする。
【００５２】
照明制御アプリケーションのインストールが完了した後、照明制御アプリケーションが実行されると、制御部２４０は照明制御画面を構成する。ユーザは、照明制御画面を通じて照明の制御に必要な情報やデータを入力でき、照明の制御のためのグループを設定したり、照明の制御のための命令を入力できる。
【００５３】
図４及び図５は、一実施形態に係る無線照明制御システム１の動作に対する一実施形態を示す図である。
【００５４】
説明に先立ち、マスタとして動作する第１照明装置１００Ａ及びスレーブとして動作する第２照明装置１００Ｂは、第１照明装置１００Ａの無線制御範囲内に位置している状態であることを仮定する。
【００５５】
まず、第１照明装置１００Ａは、第１スマート装置２００Ａとの電気的接続を検知する（Ｓ４００）。その後、第１照明装置１００Ａは、照明制御アプリケーションがインストールされているか否かを確認する確認要請信号を第１スマート装置２００Ａに伝送する（Ｓ４０５）。
【００５６】
第１スマート装置２００Ａは、第１スマート装置２００Ａ内に照明制御アプリケーションがインストールされている状態であるかを確認する。確認の結果、照明制御アプリケーションがインストールされていない状態であったり、更新が必要な状態であれば、照明制御アプリケーションを要請するアプリケーション要請信号や照明制御アプリケーションの更新を要請する更新要請信号をサーバ４００に伝送する（Ｓ４１０）。
【００５７】
サーバ４００は、要請を受けた照明制御アプリケーションをネットワーク３００を介して第１スマート装置２００Ａに伝送する（Ｓ４１５）。
【００５８】
照明制御アプリケーションが第１スマート装置２００Ａにインストールされた後に実行されると、照明制御画面が構成される。照明制御画面は、第１スマート装置２００Ａの表示部２２０を通じて表示される。
【００５９】
その後、ユーザが照明制御画面を通じて動作待機命令を入力すると、入力された動作待機命令は有線通信部２５０を通じて第１照明装置１００Ａに伝送される（Ｓ４２０）。
【００６０】
第１照明装置１００Ａは、第１スマート装置２００Ａから受信した動作待機命令を無線通信方式によって第２照明装置１００Ｂに伝送する（Ｓ４２５）。
【００６１】
第２照明装置１００Ｂは、第１照明装置１００Ａから受信した動作待機命令に基づいて照明部１１０を制御することによってユーザに動作待機命令が受信されたことを通知する（Ｓ４３０）。例えば、照明部１１０の光源を一定時間一定間隔で点滅させて第２照明装置１００Ｂを所持しているユーザに動作待機命令が受信されたことを通知する。
【００６２】
動作待機命令が受信されたことを確認したユーザは、第２照明装置１００Ｂを第２スマート装置２００Ｂに結合させる。その結果、第２照明装置１００Ｂでは第２スマート装置２００Ｂとの電気的接続が検知される（Ｓ４３５）。
【００６３】
このように第２スマート装置２００Ｂとの電気的接続が検知されると、第２照明装置１００Ｂは、照明制御アプリケーションがインストールされているか否かを確認する確認要請信号を第２スマート装置２００Ｂに伝送する（Ｓ４４０）。
【００６４】
その後、第２スマート装置２００Ｂは、照明制御アプリケーションがインストールされているか否かを確認する。確認の結果、照明制御アプリケーションがインストールされていなかったり、更新が必要な場合、第２スマート装置２００Ｂは照明制御アプリケーションを要請するアプリケーション要請信号や照明制御アプリケーションの更新を要請する更新要請信号をサーバ４００に伝送する（Ｓ４４５）。
【００６５】
サーバ４００は、要請を受けた照明制御アプリケーションをネットワーク３００を介して第２スマート装置２００Ｂに伝送する（Ｓ４５０）。
【００６６】
照明制御アプリケーションが第２スマート装置２００Ｂにインストールされた後に実行されると、照明制御画面が構成される。第２スマート装置２００Ｂのユーザが照明制御画面を通じて自身が位置している場所情報を入力すると、図６に示すように、該当場所に対する座席配置図が検索されて表示されることができる（Ｓ４５５）。例えば、ユーザが位置しているスポーツ競技場やコンサート場の座席配置図が検索されて表示される。このとき、座席配置図は第２スマート装置２００Ｂの格納部２３０で検索されたものであり得る。他の例として、座席配置図はサーバ３００で検索され、第２スマート装置２００Ｂに提供されたものであり得る。
【００６７】
図６の照明制御画面において、第２スマート装置２００Ｂのユーザは自身の座席を選択することによって、自身の座席情報を直接入力できる（Ｓ４６０）。
【００６８】
一方、座席情報は自動で入力されることもできる。一例として、第２スマート装置２００Ｂのユーザが所持している入場券には座席情報を含むバーコード（２次元バーコード、３次元バーコード）が印刷されていることができるが、ユーザが第２スマート装置２００Ｂを用いて入場券のバーコードをスキャンすると、第２スマート装置２００Ｂはバーコードを認識して座席情報を獲得できる。このために、第２スマート装置２００Ｂにはバーコードをスキャンしてイメージを獲得するための撮影部（図示せず）を更に含むことができる。また、第２スマート装置２００Ｂは、撮影部で獲得したイメージから座席情報を認識するバーコード認識プログラムを更に含むことができる。このとき、バーコード認識プログラムは、照明制御アプリケーションに含まれるように実現されることもできる。
【００６９】
他の例として、座席毎に該当座席の座席情報が記録されたＮＦＣタグが付着されていることができるが、ユーザが自身の座席に着席して第２スマート装置２００ＢをＮＦＣタグに近接させると、第２スマート装置２００ＢはＮＦＣタグから座席情報を獲得できる。このように、第２スマート装置２００Ｂが座席情報を自動で獲得する場合、座席配置図を表示する段階であるＳ４５５は省略され得る。
【００７０】
その後、図６の照明制御画面において「座席選択済み」アイコン２２が選択されると、第２スマート装置２００Ｂの制御部２４０はマッピング要請信号をサーバ４００に伝送する（Ｓ４７０）。マッピング要請信号は、第２照明装置１００Ｂの識別情報（例えば、シリアル番号）、第２スマート装置２００Ｂの識別情報及び座席情報を含むことができる。
【００７１】
サーバ４００は、マッピング要請信号に含まれている情報を座席配置図の各座席にマッピングする（Ｓ４７５）。座席配置図の全ての座席に対して識別情報がマッピングされると、サーバ４００はマスタとして動作する第１スマート装置２００Ａにマッピング完了信号を伝送する（Ｓ４８０）。
【００７２】
その後、第１スマート装置２００Ａの表示部２２０には座席配置図を含む照明制御画面が表示される（Ｓ４８５）。第１スマート装置２００Ａのユーザは座席配置図を参照して照明の制御のためのグループを設定できる（Ｓ４９０）。例えば、ユーザは、図７に示すように、座席配置図の特定領域をドラッグして境界２４を描くことによって照明の制御のためのグループを設定できる。
【００７３】
グループを設定した後、ユーザは各グループ別に制御パターン情報を設定できる（Ｓ４９５）。制御パターン情報は、照明部１１０に関する制御パターン情報及び表示部２２０に関する制御パターン情報のうち少なくとも１つを含むことができる。照明部１１０に関する制御パターン情報としては、照明の色、照明の明るさ、照明の点灯時刻、照明の消灯時刻及び照明の点滅速度などが挙げられる。表示部２２０に関する制御パターン情報としては、画面の色、画面の明るさ、画面表示開始時間、画面の点滅間隔、画面表示終了時間、画面を通じて表示するコンテンツの識別情報などが挙げられる。ユーザは各グループを選択して制御パターン情報を設定できる。具体的に、ユーザが所定グループの境界２４内部を選択すると、該当グループに関する制御パターン情報を設定するためのメニューが表示され、ユーザは表示されたメニューを用いて該当グループに関する制御パターン情報を設定できる。
【００７４】
各グループ別に制御パターン情報を設定した後、「設定済み」アイコン２３が選択されると、第１スマート装置２００Ａはグループ別制御パターン情報を第１照明装置１００Ａに伝送する（Ｓ５００）。
【００７５】
第１照明装置１００Ａは、グループ別制御パターン情報を無線通信方式によって第２照明装置１００Ｂに伝送する（Ｓ５０５）。
【００７６】
第２照明装置１００Ｂは、第１照明装置１００Ａから受信したグループ別制御パターン情報を第２スマート装置２００Ｂに伝送する。第２スマート装置２００Ｂは、グループ別制御パターン情報の内容を確認した後、サーバ４００との通信が必要であるかを判断する（Ｓ５１５）。例えば、制御パターン情報のうち表示部２２０の制御パターン情報を確認した結果、コンテンツ識別情報が含まれている場合、第２スマート装置２００Ｂは該当コンテンツを要請するコンテンツ要請信号をサーバ４００に伝送する（Ｓ５２０）。
【００７７】
サーバ４００は、第２スマート装置２００Ｂが要請したコンテンツを検索し、第２スマート装置２００Ｂに伝送する（Ｓ５２５）。その後、サーバ４００は、コンテンツの伝送が完了したことを通知する伝送完了信号を第１スマート装置２００Ａに伝送する（Ｓ５３０）。
【００７８】
その後、第１スマート装置２００Ａは、ユーザから照明制御実行命令が入力されると、入力を受けた照明制御実行命令を第１照明装置１００Ａに伝送する（Ｓ５３５）。
【００７９】
第１照明制御装置１００Ａは、照明制御実行命令を第２照明装置１００Ｂに伝送する（Ｓ５４０）。
【００８０】
第２照明装置１００Ｂは、第１照明装置１００Ａから受信した照明制御実行命令を第２スマート装置２００Ｂに伝送する（Ｓ５４５）。
【００８１】
その後、第２照明装置１００Ｂの照明部１１０と第２スマート装置２００Ｂの表示部２２０は、以前の段階（Ｓ５０５、Ｓ５１０）で受信したグループ別制御パターン情報によって制御される（Ｓ５５０、Ｓ５５５）。
【００８２】
以上、図４〜図７を参照して、一実施形態に係る無線照明制御システム１の動作及び照明制御画面について説明した。図４及び図５に示す段階のうち幾つかの段階は省略されることもできる。例えば、複数の第２照明装置が識別情報（例えば、シリアル番号）の順序通りに各座席に配置されているとすれば、第２スマート装置２００Ｂに座席配置図を表示する段階（Ｓ４５５）とユーザが自身の座席情報を入力する段階（Ｓ４６０）は省略されることができる。
【００８３】
前述した方法によれば、グループ別に第２照明装置１００Ｂ、１００Ｃ、１００Ｄの照明部１１０と第２スマート装置２００Ｂ、２００Ｃ、２００Ｄの表示部２２０が同時に制御できるので、複数の第２照明装置１００Ｂ、１００Ｃ、１００Ｄの照明部１１０のみを制御する場合に比べて、視覚的な応援効果を向上させることができる。また、複数の第２スマート装置２００Ｂ、２００Ｃ、２００Ｄを通じてテキスト、イメージ、又は動画などの多様なコンテンツを一括して表示できるので、多様な方式の視覚的な応援が可能である。
【００８４】
以上、本発明の実施形態を説明した。前述した実施形態に加えて、本発明の実施形態は前述した実施形態の少なくとも１つの処理要素を制御するためのコンピュータ読み取り可能なコード／命令を含む媒体、例えば、コンピュータ読み取り可能な媒体を通じて実現されることもできる。前記媒体は、前記コンピュータ読み取り可能なコードの格納及び／又は伝送を可能にする媒体／各媒体に対応できる。
【００８５】
前記コンピュータ読み取り可能なコードは、媒体に記録され得るだけでなく、インターネットを介して伝送されることもできるが、前記媒体は例えば、マグネチック格納媒体（例えば、ＲＯＭ、フロッピーディスク、ハードディスクなど）及び光学記録媒体（例えば、ＣＤ-ＲＯＭ、Ｂｌｕ-Ｒａｙ、ＤＶＤ）のような記録媒体、搬送波（ｃａｒｒｉｅｒ ｗａｖｅ）のような伝送媒体を含むことができる。前記媒体は分散ネットワークであることもできるので、コンピュータで読み取れるコードは分散方式で格納／伝送され、実行されることができる。更に、単なる一例として、処理要素はプロセッサ又はコンピュータプロセッサを含むことができ、前記処理要素は１つのデバイス内に分散及び／又は含まれることができる。
【００８６】
以上のように例示された図面を参照して本発明の実施形態を説明したが、本発明が属する技術分野において通常の知識を有する者は、本発明がその技術的思想や必須な特徴を変更することなく、他の具体的な形態で実施され得るということが理解できるはずである。従って、前述した実施形態はあらゆる面で例示的なものであり、限定的ではないものとして理解すべきである。
【図１】
2020098802.tif 000003
【図２】
2020098802.tif 000004
【図３】
2020098802.tif 000005
【図４】
2020098802.tif 000006
【図５】
2020098802.tif 000007
【図６】
2020098802.tif 000008
【図７】
2020098802.tif 000009